(57)【要約】【課題】各端子の位置を容易に設定して結線することができる電力量計用結線器を提供する。【解決手段】複数の外部端子を有する電力量計５の各外部端子に結線する電力量計用結線器１００において、第一カムプレート２４は、固定フレーム６に対して左右方向Ｘに移動可能に構成され、かつ、左右方向Ｘに延在するとともに前後方向Ｙにおいて異なる箇所を有する第一カム溝３０が形成され、端子部６０は、各外部端子に結線するための複数の端子６８を端子部６０内にて左右方向Ｘに移動可能に形成し、第二カムプレート４４は、前後方向Ｙに延在する複数の第二カム溝５１〜５６が形成され、かつ、各第二カム溝５１〜５６同士の左右方向Ｘの間隔は、前後方向Ｙにおいて異なる箇所を有し、端子部６０は第一カム溝３０に係合し、各端子６８は第二カム溝５１〜５６と係合する。【選択図】図１
2018009854.tif 000002
【特許請求の範囲】
【請求項１】
複数の外部端子を有する電力量計の各前記外部端子に結線する電力量計用結線器において、
固定フレーム、第一カムプレート、第二カムプレート、および端子部を備え、
前記第一カムプレートは、前記固定フレームに対して左右方向に移動可能に構成され、かつ、左右方向に延在するとともに前後方向において異なる箇所を有する第一カム溝が形成され、
前記端子部は、各前記外部端子に結線するための複数の端子を前記端子部内にて左右方向に移動可能に形成し、
前記第二カムプレートは、前後方向に延在する複数の第二カム溝が形成され、かつ、各前記第二カム溝同士の左右方向の間隔は、前後方向において異なる箇所を有し、
前記端子部は、前記第一カムプレートの第一カム溝に係合し、
前記端子部内の各前記端子は、前記第二カムプレートの前記第二カム溝と係合する電力量計用結線器。
【請求項２】
前記第一カムプレートは、左右方向に延在するとともに前後方向において異なる箇所を有する第三カム溝が形成され、
前記第二カムプレートは、前記固定フレームに対して前後方向に移動可能に形成され、かつ、前記第一カムプレートの前記第三カム溝に係合する請求項１に記載の電力量計用結線器。
【請求項３】
前記第一カムプレートの前記第一カム溝は、少なくとも２箇所以上に、左右方向に平行な側面を有する平坦部が形成された請求項１または請求項２に記載の電力量計用結線器。
【請求項４】
前記第二カムプレートの前記第二カム溝は、少なくとも２箇所以上に、前後方向に平行な側面を有する平坦部が形成された請求項１から請求項３のいずれか１項に記載の電力量計用結線器。
【請求項５】
前記電力量計の各前記外部端子が各前記端子と上下方向において対向するように前記電力量計を載置する移動フレームを備え、
前記移動フレームは、前記固定フレームに対して上下方向に移動可能に構成された請求項１から請求項４のいずれか１項に記載の電力量計用結線器。
【発明の詳細な説明】
【技術分野】
【０００１】
この発明は、電力量計の性能試験において、電力量計の外部端子と性能試験を行う側の端子との結線を容易に実施するための電力量計用結線器に関するものである。
【背景技術】
【０００２】
従来の電力量計が所定の規格を満足しているかを検査する性能試験では、試験時に電力を製品に供給するために製品と試験装置とを接続する必要がある。電力量計は、製品の外形サイズや端子位置が機種毎に異なるため、このような結線作業を効率的に実施するためには多品種に容易に対応可能な結線器を設けることで対応している。
【０００３】
このような結線器としては、例えば特許文献１に記載されたものが知られている。この従来の結線器は、結線器受け台に対して左右にスライド自在に取付けられた端子を有している。この端子を、性能試験の際、各電力量計の種類に合わせて左右にスライドさせた後、電力量計の端子に接続する。
【０００４】
しかしながら、特許文献１に記載された結線器では、各端子を左右方向の一方向にスライドすることはできるが、端子の位置を前後方向に調整することは難しい。すなわち、電力量計の端子は、種類により前後左右のような２方向に異なる場合もあるため、結線器の端子は前後左右のように２方向に調整されることが望ましい。
【０００５】
他の結線器としては、例えば特許文献２に記載されたものが知られている。この結線器は、結線器の受け台に対して左右にスライド自在に取付けられた端子を有しており、受け台自体が結線器の固定フレームに対して前後方向にスライド自在に取り付けられている。各端子は結線器に固定された位置決めブロックにより左右前後方向の位置決めが実施される。これにより、電力量計の種類により異なる端子位置に合わせた結線が可能となる。
【先行技術文献】
【特許文献】
【０００６】
【特許文献１】特開２００１−２３５５２７号公報
【特許文献２】特開２００８−１８５４０２号公報
【発明の概要】
【発明が解決しようとする課題】
【０００７】
従来の電力量計用結線器は、電力量計の種類により２方向に異なる端子位置に対して、端子にそれぞれ独立に調整可能な構造を持たせ、位置決めブロックを交換することで端子位置の調整を実施している。そのため、端子位置の変更には、位置決めブロックの交換が必要であり、かつ、位置決めブロックの係合凹部への端子の位置決め時に、作業者による目視での調整が必要な場合があり、全自動での取り替えが困難であるという問題点があった。
【０００８】
この発明は上記のような課題を解決するためになされたものであり、２方向に異なる外部端子の位置を有する多種の電力量計に対して、各端子の位置を容易に設定して結線することができる電力量計用結線器を提供することを目的とする。
【課題を解決するための手段】
【０００９】
この発明の電力量計用結線器は、
複数の外部端子を有する電力量計の各前記外部端子に結線する電力量計用結線器において、
固定フレーム、第一カムプレート、第二カムプレート、および端子部を備え、
前記第一カムプレートは、前記固定フレームに対して左右方向に移動可能に構成され、かつ、左右方向に延在するとともに前後方向において異なる箇所を有する第一カム溝が形成され、
前記端子部は、各前記外部端子に結線するための複数の端子を前記端子部内にて左右方向に移動可能に形成し、
前記第二カムプレートは、前後方向に延在する複数の第二カム溝が形成され、かつ、各前記第二カム溝同士の左右方向の間隔は、前後方向において異なる箇所を有し、
前記端子部は、前記第一カムプレートの第一カム溝に係合し、
前記端子部内の各前記端子は、前記第二カムプレートの前記第二カム溝と係合するものである。
【発明の効果】
【００１０】
この発明の電力量計用結線器によれば、
２方向に異なる外部端子の位置を有する多種の電力量計に対して、各端子の位置を容易に設定して結線することができる。
【図面の簡単な説明】
【００１１】
【図１】この発明の実施の形態１の電力量計用結線器の構成を示す斜視図である。
【図２】図１に示した電力量計用結線器の結線部の構成を下側から上側に向かって示す斜視図である。
【図３】図２に示した結線部の第一カム部の構成を右後側から示す斜視図である。
【図４】図２に示した結線部の第二カム部の構成を右後側から示す斜視図である。
【図５】図２に示した結線部の端子部の構成を右前側から示す斜視図である。
【図６】図５に示した端子部の各端子の構成を右前側から示す斜視図である。
【図７】図３に示した第一カム部の第一カムプレートの構成を示す平面図である。
【図８】図４に示した第二カム部の第二カムプレートの構成を示す平面図である。
【図９】図２に示した結線部の第一状態を示す斜視図である。
【図１０】図２に示した結線部の第二状態を示す斜視図である。
【図１１】図２に示した結線部の第三状態を示す斜視図である。
【図１２】図２に示した結線部の第四状態を示す斜視図である。
【発明を実施するための形態】
【００１２】
実施の形態１．
以下、本願発明の実施の形態について説明する。図１はこの発明の実施の形態１の電力量計用結線器の構成を示す斜視図である。図１は電力量計を電力量計用結線器に設置した状態を示している。図２は図１に示した電力量計用結線器の結線部の構成を下側Ｚ２から上側Ｚ１に向かって示す斜視図である。図２の結線部は、下固定フレーム、移動フレーム、および、支持シャフトを除いた部分を示す。図３は図２に示した結線部の第一カム部の構成を右後側から示す斜視図である。
【００１３】
図４は図２に示した結線部の第二カム部の構成を右後側から示す斜視図である。図５は図２に示した結線部の端子部の構成を右前側から示す斜視図である。図６は図５に示した端子部の各端子の構成を示す斜視図である。図７は図３に示した第一カム部の第一カムプレートの構成を示す平面図である。図８は図４に示した第二カム部の第二カムプレートの構成を示す平面図である。図９から図１２は図２に示した結線部の第一状態から第四状態を示す斜視図である。
【００１４】
図１において、本発明の実施の形態１による電力量計用結線器１００は、固定フレーム６と、移動フレーム３と、結線部１０とを備える。固定フレーム６は、下固定フレーム１と上固定フレーム２とが支持シャフト４に固定され形成される。移動フレーム３は、下固定フレーム１と上固定フレーム２との間において、支持シャフト４をガイドとして上下方向Ｚに移動可能に設置される。結線部１０は、上固定フレーム２の下側Ｚ２の面に固定される。電力量計５は、移動フレーム３の上側Ｚ１の面に配置される。電力量計用結線器１００は、移動フレーム３を上側Ｚ１に移動すると、移動フレーム３に配置された電力量計５が結線部１０の後述する端子６８と結合するものである。
【００１５】
図２において、結線部１０は、第一カム部２０と、第二カム部４０と、端子部６０とを備える。よって、結線部１０は、電力量計用結線器１００から下固定フレーム１、移動フレーム３、および、支持シャフト４を除いた部分を指す。第一カム部２０、第二カム部４０、および端子部６０は、上固定フレーム２の上側Ｚ１から下側Ｚ２に向かって順次配置されている。
【００１６】
図３において、第一カム部２０は、４個の第一シャフトホルダ２１と、２本の第一シャフト２２と、２個の第一ガイドブロック２３と、第一カムプレート２４とを備える。４個の第一シャフトホルダ２１は、上固定フレーム２の下側Ｚ２の面の、左側Ｘ１および右側Ｘ２の前側Ｙ１および後側Ｙ２にそれぞれ固定される。２本の第一シャフト２２は、両端側を第一シャフトホルダ２１に保持され、上固定フレーム２の左右方向Ｘに平行に配置される。
【００１７】
２個の第一ガイドブロック２３は、各第一シャフト２２をガイドとして左右方向Ｘに移動可能に、第一シャフトホルダ２１間に配置される。第一カムプレート２４は、左右方向Ｘの中央位置にて、２個の第一ガイドブロック２３が固定される。よって、第一カム部２０の第一カムプレート２４は、第一シャフトホルダ２１に保持され、第一シャフト２２に対して第一ガイドブロック２３が左右方向Ｘに移動する直動運動をガイドとして、固定フレーム６に対して左右方向Ｘに移動可能に構成される。
【００１８】
図４において、第二カム部４０は、４個の第二シャフトホルダ４１と、２本の第二シャフト４２と、４個の第二ガイドブロック４３と、第二カムプレート４４とを備える。４個の第二シャフトホルダ４１は、上固定フレーム２の下側Ｚ２の面の、前側Ｙ１および後側Ｙ２の左側Ｘ１および右側Ｘ２にそれぞれ固定される。２本の第二シャフト４２は、両端側を第二シャフトホルダ４１に保持され、上固定フレーム２の前後方向Ｙに平行に配置される。
【００１９】
４個の第二ガイドブロック４３は、各第二シャフト４２をガイドとして前後方向Ｙに移動可能に、１つの第二シャフト４２に対して一方の第二ガイドブロック４３は、第二シャフトホルダ４１間に、他方の第二ガイドブロック４３は、第二シャフトホルダ４１より後側Ｙ２（外側）に配置される。第一連結板４５は、第二シャフトホルダ４１間に形成された一方の第二ガイドブロック４３間を、左右方向Ｘにて連結するように跨がって固定される。
【００２０】
第三ピン４６は、第一連結板４５の上側Ｚ１の中央部に、上側Ｚ１に突出して固定される。第三ピン４６は、後述する、第一カムプレート２４の第三カム溝２５に係合する。第二カムプレート４４は、前後方向Ｙおよび左右方向Ｘの四隅にて、４個の第二ガイドブロック４３が固定される。よって、第二カム部４０の第二カムプレート４４は、第二シャフトホルダ４１に保持され、第二シャフト４２に対して第二ガイドブロック４３が前後方向Ｙに移動する直動運動をガイドとして、固定フレーム６に対して前後方向Ｙに移動可能に構成される。
【００２１】
図５および図６において、端子部６０の構成について説明する。図５においては、上記の第二カム部４０にて説明した第二シャフトホルダ４１および第二シャフト４２と同一の部分を、位置関係を明確とするために示している。但し、第二カムプレート４４は除いて示している。端子部６０は、２個の第三ガイドブロック６１と、６個の端子ブロック６６と、２個の第三シャフトホルダ６４と、２本の第三シャフト６５とを備える。
【００２２】
２個の第三ガイドブロック６１は、２本の第二シャフト４２をガイドとして前後方向Ｙに移動可能に、第二シャフトホルダ４１間に配置される。第二連結板６２は、当該２個の第三ガイドブロック６１を左右方向Ｘにて連結するように跨がって固定される。第一ピン６３は、第二連結板６２の上側Ｚ１の中央部に、上側Ｚ１に突出して固定される。第一ピン６３は、後述する、第一カムプレート２４の第一カム溝３０に係合する。２個の第三シャフトホルダ６４は、各第三ガイドブロック６１の左側Ｘ１および右側Ｘ２のそれぞれ外側の側面に、それぞれ下側Ｚ２に突出して固定される。
【００２３】
２本の第三シャフト６５は、６個の端子ブロック６６を左右方向Ｘに連結するように貫通して配置される。２本の第三シャフト６５は、２個の第三ガイドブロック６１の左右方向Ｘの両端に第三シャフトホルダ６４を介して保持され固定される。６個の端子ブロック６６は、２本の第三シャフト６５をガイドとして、独立して左右方向Ｘに移動可能に、第三シャフトホルダ６４間に配置される。６個の端子ブロック６６は、上側Ｚ１に突出して固定される第二ピン６７と、下側Ｚ２に突出して固定される端子６８とをそれぞれ備える。
【００２４】
第二ピン６７は、後述する第二カムプレート４４の第二カム溝５１、５２、５３、５４、５５、５６にそれぞれ係合する。よって、端子部６０の各端子６８は、第二シャフトホルダ４１に保持された第二シャフト４２に対して第三ガイドブロック６１が前後方向Ｙに移動する直動運動をガイドとして、前後方向Ｙに移動する。さらに、端子部６０の各端子６８は、第三シャフトホルダ６４に保持された第三シャフト６５に対して端子ブロック６６が左右方向Ｘに移動することをガイドとして、左右方向Ｘに独立して移動可能に構成される。
【００２５】
図７において、第一カム部２０の第一カムプレート２４について説明する。第一カムプレート２４には、第一カム溝３０および第三カム溝２５を備える。第一カム溝３０および第三カム溝２５は、左右方向Ｘに延在するとともに前後方向Ｙにおいて異なる箇所、ここでは、前後方向Ｙに傾斜して形成される。第一カム溝３０は、左右方向Ｘに平行な側面を有する平坦部として第一平坦部２６、第二平坦部２７、第三平坦部２８、および第四平坦部２９が形成され、これらを連結する形で構成される。
【００２６】
第一平坦部２６は、第一カムプレート２４の前側Ｙ１に配置される。第二平坦部２７は、第一平坦部２６より後側Ｙ２に配置される。第三平坦部２８は、第二平坦部２７より後側Ｙ２に配置される。第四平坦部２９は、第三平坦部２８より後側Ｙ２に配置される。第三カム溝２５は、第一カム溝３０の前後反転した形状として第一カム溝３０の前側Ｙ１に配置される。尚、各平坦部２６から２９はその位置関係が明確となるように、点線にてその箇所を示している。以下の各平坦部においても、図において同様に点線にて示しているため、当該説明については適宜省略する。
【００２７】
そして、第三カム溝２５にも第一平坦部２６、第二平坦部２７、第三平坦部２８および第四平坦部２９が左右方向Ｘにおいて第一カム溝３０と同一位置に形成される。第三カム溝２５には、第二カム部４０の第三ピン４６が係合する。第一カム溝３０には、端子部６０の第一ピン６３が係合する。よって、第一カムプレート２４は、このような第一カム溝３０および第三カム溝２５を構成することにより、第二カム部４０と端子部６０とをそれぞれ同期させて前後方向Ｙに駆動させる。
【００２８】
図８において、第二カム部４０の第二カムプレート４４について説明する。第二カムプレート４４は、前後方向Ｙに延在する複数のここでは６本の第二カム溝５１、５２、５３、５４、５５、５６が形成される。先に示した６個の第二ピン６７が係合するために、同一の数の６本の第二カム溝５１、５２、５３、５４、５５、５６が形成される。
第二カム溝５１が一番左側Ｘ１に形成される。第二カム溝５１の右側Ｘ２に、第二カム溝５２が形成される。第二カム溝５２の右側Ｘ２に、第二カム溝５３が形成される。第二カム溝５３の右側Ｘ２に、第二カム溝５４が形成される。第二カム溝５４の右側Ｘ２に、第二カム溝５５が形成される。第二カム溝５５の右側Ｘ２に、第二カム溝５６が形成される。
【００２９】
第二カム溝５１は、前後方向Ｙに対して平行な側面を有する平坦部として、第一平坦部４７、第二平坦部４８、第三平坦部４９、および第四平坦部５０が形成され、これらを連結する形で形成される。第一平坦部４７は、第二カムプレート４４の後側Ｙ２に配置される。第二平坦部４８は、第一平坦部４７より前側Ｙ１に配置される。第三平坦部４９は、第二平坦部４８より前側Ｙ１に配置される。第四平坦部５０は、第三平坦部４９より前側Ｙ１に配置される。そして、他の第二カム溝５２、５３、５４、５５、５６にも、第一平坦部４７、第二平坦部４８、第三平坦部４９および第四平坦部５０が前後方向Ｙにおいて第二カム溝５１と同一位置に形成される。
【００３０】
各第二カム溝５１、５２、５３、５４、５５、５６同士の左右方向Ｘの間隔は、特に第一平坦部４７、第二平坦部４８、第三平坦部４９および第四平坦部５０に対応する前後方向Ｙにおいて異なる箇所にて形成される。よって、第二カムプレート４４は、６本の第二カム溝５１、５２、５３、５４、５５、５６を構成され、６個の第二ピン６７がこれらに係合することにより、６本の第二カム溝５１、５２、５３、５４、５５、５６の形状に沿って、すなわち６個の端子６８が係合して左右方向Ｘに駆動される。
【００３１】
次に上記のように構成された実施の形態１の電力量計用結線器１００の動作について図９から図１２に基づいて説明する。まず、図９は本発明の実施の形態１による電力量計用結線器の１つの状態として第一状態を示す。この第一状態では、第二カム部４０の第三ピン４６が、第一カム部２０の第一カムプレート２４に形成された第三カム溝２５の第一平坦部２６の位置で係合している。同様に、端子部６０の第一ピン６３は、第一カム部２０の第一カムプレート２４に形成された第一カム溝３０の第一平坦部２６の位置で係合している。これにより第二カム部４０および端子部６０の前後方向Ｙの位置が決定される。
【００３２】
第一状態では、端子部６０の各端子ブロック６６の第二ピン６７は、第二カム部４０の第二カムプレート４４に形成された第二カム溝５１から第二カム溝５６のそれぞれの第一平坦部４７の位置で係合している。これにより各端子ブロック６６の左右方向Ｘの位置が決定される。すなわち、各端子６８の左右方向Ｘの位置が第一平坦部４７の位置に決定される。
【００３３】
次に、図９に示した第一状態から、第一カム部２０の第一カムプレート２４を左側Ｘ１の方向に移動させるとともに第二カム部４０の第二カムプレート４４が後側Ｙ２の方向に移動することにより、図１０に示す第二状態へ状態を変化させる。図９に示した第一状態から、第一カムプレート２４を左側Ｘ１の方向に移動させると、第一カムプレート２４の第三カム溝２５の第一平坦部２６にて係合している第二カム部４０の第三ピン４６は、第三カム溝２５の第一平坦部２６から第二平坦部２７の位置に移動する。これにより、第二カム部４０は、第一状態より後側Ｙ２に移動した位置の第二状態となる。
【００３４】
同様に、第一カム溝３０の第一平坦部２６にて係合している端子部６０の第一ピン６３は、第一カム溝３０の第一平坦部２６から第二平坦部２７の位置に移動する。これにより、端子部６０は、第一状態より前側Ｙ１の方向に移動した位置の第二状態となる。第二カム部４０が後側Ｙ２に、端子部６０が前側Ｙ１に移動すると、第二カムプレート４４の第二カム溝５１から第二カム溝５６の第一平坦部４７にて係合している各第二ピン６７は、第二カム溝５１から第二カム溝５６の第一平坦部４７から第二平坦部４８の位置に移動する。
【００３５】
これにより、端子部６０の各端子６８は、第一状態に対してそれぞれ左右方向Ｘに移動した位置の第二状態となる。以上により、第一状態から第二状態にて各端子６８の位置は、第一カム部２０の第一カムプレート２４の第一カム溝３０の第二平坦部２７で決められた前側Ｙ１に変更され、左右方向Ｘには、それぞれ第二カム部４０の第二カムプレート４４の第二カム溝５１から第二カム溝５６の第二平坦部４８で決められた位置に変更される。
【００３６】
次に、図１０に示した第二状態から、第一カム部２０の第一カムプレート２４を左側Ｘ１の方向に移動させるとともに第二カム部４０の第二カムプレート４４が後側Ｙ２の方向に移動することにより、図１１に示す第三状態へ状態を変化させる。図１０に示した第二状態から、第一カムプレート２４を左側Ｘ１の方向に移動させると、第一カムプレート２４の第三カム溝２５の第二平坦部２７にて係合している第二カム部４０の第三ピン４６は、第三カム溝２５の第二平坦部２７から第三平坦部２８の位置に移動する。これにより、第二カム部４０は、第二状態より後側Ｙ２に移動した位置の第三状態となる。
【００３７】
同様に、第一カム溝３０の第二平坦部２７にて係合している端子部６０の第一ピン６３は、第一カム溝３０の第二平坦部２７から第三平坦部２８の位置に移動する。これにより、端子部６０は、第二状態より前側Ｙ１の方向に移動した位置の第三状態となる。第二カム部４０が後側Ｙ２に、端子部６０が前側Ｙ１に移動すると、第二カムプレート４４の第二カム溝５１から第二カム溝５６の第二平坦部４８にて係合している各第二ピン６７は、第二カム溝５１から第二カム溝５６の第二平坦部４８から第三平坦部４９の位置に移動する。
【００３８】
これにより、端子部６０の各端子６８は、第二状態に対してそれぞれ左右方向Ｘに移動した位置の第三状態となる。以上により、第二状態から第三状態にて各端子６８の位置は、第一カム部２０の第一カムプレート２４の第一カム溝３０の第三平坦部２８で決められた前側Ｙ１に変更され、左右方向Ｘには、それぞれ第二カム部４０の第二カムプレート４４の第二カム溝５１から第二カム溝５６の第三平坦部４９で決められた位置に変更される。
【００３９】
次に、図１１に示した第三状態から、第一カム部２０の第一カムプレート２４を左側Ｘ１の方向に移動させるとともに第二カム部４０の第二カムプレート４４が後側Ｙ２の方向に移動することにより、図１２に示す第四状態へ状態を変化させる。図１１に示した第二状態から、第一カムプレート２４を左側Ｘ１の方向に移動させると、第一カムプレート２４の第三カム溝２５の第三平坦部２８にて係合している第二カム部４０の第三ピン４６は、第三カム溝２５の第三平坦部２８から第四平坦部２９の位置に移動する。これにより、第二カム部４０は、第三状態より後側Ｙ２に移動した位置の第四状態となる。
【００４０】
同様に、第一カム溝３０の第三平坦部２８にて係合している端子部６０の第一ピン６３は、第一カム溝３０の第三平坦部２８から第四平坦部２９の位置に移動する。これにより、端子部６０は、第二状態より前側Ｙ１の方向に移動した位置の第四状態となる。第二カム部４０が後側Ｙ２に、端子部６０が前側Ｙ１に移動すると、第二カムプレート４４の第二カム溝５１から第二カム溝５６の第三平坦部４９にて係合している各第二ピン６７は、第二カム溝５１から第二カム溝５６の第三平坦部４９から第四平坦部５０の位置に移動する。
【００４１】
これにより、端子部６０の各端子６８は、第三状態に対してそれぞれ左右方向Ｘに移動した位置の第四状態となる。以上により、第三状態から第四状態にて各端子６８の位置は、第一カム部２０の第一カムプレート２４の第一カム溝３０の第四平坦部２９で決められた前側Ｙ１に変更され、左右方向Ｘには、それぞれ第二カム部４０の第二カムプレート４４の第二カム溝５１から第二カム溝５６の第四平坦部５０で決められた位置に変更される。
【００４２】
そして、第一状態から第四状態の各端子６８の位置を設定することできる。そして、第一状態から第四状態のいずれかの状態に対応する電力量計５を、電力量計５の各外部端子が各端子６８と上下方向Ｚにおいて対向するように移動フレーム３の上側Ｚ１に載置する。そして、移動フレーム３を固定フレーム６に対して上側Ｚ１の方向に移動して外部端子と端子６８とを結線する。尚、移動フレーム３の上側Ｚ１にあらかじめ電力量計５を載置した状態にて、上記に示した第一状態から第四状態の内、対応する状態に端子６８を移動することも可能である。
【００４３】
上記に示した本実施の形態１においては、第一カムプレートおよび第二カムプレートと、第一ピンおよび第二ピンとの位置を、各平坦部にて設定することにより、各端子の位置を第一状態から第四状態にそれぞれ設定する例を示したが、これは、第一カム溝および第二カム溝が平坦部である場合の方が、その箇所での位置の自動制御が行い易いためである。よって、これに限られることはなく、第一カム溝および第二カム溝の平坦部以外の他の箇所であっても、各端子の位置を設定することは可能で有る。
【００４４】
上記実施の形態１のように、第一カムプレートの左右方向の移動により、第一カムプレートの第一カム溝に係合する端子部の前後方向への駆動が実施され、さらに、第二カムプレートの第二カム溝に係合する各端子の左右方向への駆動が実施される。即ち、第一カムプレートの駆動のみで、各端子の前後方向および左右方向の位置決めを同時に行うことができる。さらに、これは第一カムプレートの単純な直動動作により行うことができるため、その動作の全自動化が容易であり段取り作業の効率化が実現できる。よって、異なる種類の電力量計に対して全自動にて性能試験を実施することが容易となる。
【００４５】
また、前後方向において異なる箇所を有する第一カム溝、および、第二カム溝同士の左右方向の位置が前後方向において異なる箇所を有する複数の第二カム溝により、各端子の前後方向および左右方向の位置決めされるため、前後方向および左右方向の位置の異なる外部端子を有する多種の電力量計に対応して、電力量計用結線器の各端子の位置を変更することが可能である。
【００４６】
また、第一カムプレートに左右方向に延在するとともに前後方向において異なる箇所を有する第三カム溝を形成し、第二カムプレートが固定フレームに対して前後方向に移動可能に形成され、かつ、第一カムプレートの第三カム溝に係合するため、第一カムプレートの左右方向の移動に追随して、第二カムプレートが前後方向に移動できるため、位置の制御が行い易い。
【００４７】
また、各端子の位置は、第一カム溝および第二カム溝の形状を変更することにより、前後方向および左右方向の任意の位置に容易に設定することが可能である。
【００４８】
また、第一カムプレートの第一カム溝は、少なくとも２箇所以上に、左右方向に平行な側面を有する平坦部が形成されているため、この平坦部を利用した位置の制御が行い易い。
【００４９】
また、第二カムプレートの第二カム溝は、少なくとも２箇所以上に、前後方向に平行な側面を有する平坦部が形成されているため、この平坦部を利用した位置の制御が行い易い。
【００５０】
尚、上記実施の形態１においては、第一カム部２０の第一カムプレート２４および第二カム部４０の第二カムプレート４４には、それぞれ４個の独立した平坦部を形成する例を示しているが、これに限られることはなく、平坦部の数は少なくとも２個以上にて形成すればよい。例えば、６個の独立した平坦部を形成すれば、６種類の端子接続位置が異なる電力量計に対し上記実施の形態１と同様に、各端子の位置を制御良く変更して使用することができる。
【００５１】
実施の形態２．
上記実施の形態１においては、第二カム部４０の第二カムプレート４４は、前後方向に移動可能な構造としたが、これに限られることはなく、第二カムプレート４４は固定フレームに対して固定した構造としてもよい。この場合は、第一カム部２０の第一カムプレート２４において、第二カム部４０の第三ピン４６との係合は不要となるため、第一カムプレート２４の第三カム溝２５および第二カム部４０の第三ピン４６が不要となる。
【００５２】
上記に示したように実施の形態２における電力量計用結線器を構成すれば、上記実施の形態１と同様の効果を奏し、上記実施の形態１と比較して安価な構成にて端子の位置の変更に対応することが可能となる。また、第一カムプレートは単純な直動動作の制御のみにて位置制御を行うことができ、全自動化が更に容易であり、段取り作業の更なる効率化が実現できる。
【００５３】
このように、上記実施の形態１において示した、第一カムプレートの第一カム溝および第二カムプレートの第二カム溝は一例であり、第一カムプレートの第一カム溝に沿って、第二カムプレートが移動するように構成し、前後方向の位置決めを実施し、第二カムプレートが第一カムプレートにより動作することにより、上記実施の形態１と同様に各端子が第二カム溝に沿って左右方向の位置決めを行うことができればよい。
【００５４】
また、第一カムプレートの第一カム溝の形状により、第一カムプレートの移動量で第二カムプレートの移動量を調整することで前後方向の移動量を決めることができる。また、第二カムプレートの第二カム溝の形状により、第二カムプレートの移動量で各端子の左右方向の移動量を調整することが可能となる。よって、第一カムプレートの第一カム溝および第二カムプレートの第二カム溝の形状および第二カム溝の本数の変更により、多種多様な電力量計の外部端子の位置に対応することが可能となる。
【００５５】
尚、本発明は、その発明の範囲内において、各実施の形態を自由に組み合わせたり、各実施の形態を適宜、変形、省略することが可能である。
【符号の説明】
【００５６】
１  下固定フレーム、２  上固定フレーム、３  移動フレーム、４  支持シャフト、
５  電力量計、６  固定フレーム、１０  結線部、２０  第一カム部、
２１  第一シャフトホルダ、２２  第一シャフト、２３  第一ガイドブロック、
２４  第一カムプレート、２５  第三カム溝、２６  第一平坦部、２７  第二平坦部、
２８  第三平坦部、２９  第四平坦部、３０  第一カム溝、４０  第二カム部、
４１  第二シャフトホルダ、４２  第二シャフト、４３  第二ガイドブロック、
４４  第二カムプレート、４５  第一連結板、４６  第三ピン、４７  第一平坦部、
４８  第二平坦部、４９  第三平坦部、５０  第四平坦部、５１  第二カム溝、
５２  第二カム溝、５３  第二カム溝、５４  第二カム溝、５５  第二カム溝、
５６  第二カム溝、６０  端子部、６１  第三ガイドブロック、６２  第二連結板、
６３  第一ピン、６４  第三シャフトホルダ、６５  第三シャフト、
６６  端子ブロック、６７  第二ピン、６８  端子、１００  電力量計用結線器、
Ｘ  左右方向、Ｘ１  左側、Ｘ２  右側、Ｙ  前後方向、Ｙ１  前側、Ｙ２  後側、
Ｚ  上下方向、Ｚ１  上側、Ｚ２  下側。
【図１】
2018009854.tif 000003
【図２】
2018009854.tif 000004
【図３】
2018009854.tif 000005
【図４】
2018009854.tif 000006
【図５】
2018009854.tif 000007
【図６】
2018009854.tif 000008
【図７】
2018009854.tif 000009
【図８】
2018009854.tif 000010
【図９】
2018009854.tif 000011
【図１０】
2018009854.tif 000012
【図１１】
2018009854.tif 000013
【図１２】
2018009854.tif 000014